(57)【要約】【課題】従来の布製の泡立て具は、布体の一方を引き絞って結束した構成のために泡立てる際には布体の動きが制限され、使用されている布体全体の擦れ合いが起き難く、使用する布体の面積に対して泡の発生率が劣る欠点があり、又、使用するうちに結束部に濯いでも流れ落ちない石けんカスが溜まり、結束部の布体は乾き難いので衛生面に不安があった。【解決手段】合成繊維の織物にメッシュ生地を介在させて、略筒状体とし、この略筒状体を二つ折りにして紐を通した。多量の泡を効率よく得るために広い面積の布体を用いているが、略筒状体の間にメッシュ生地を介在させ、又、布体に突起部を設けることで、泡を生み出すのに欠かせない布同士の擦れ合いと布体内への空気の取り込みを良好にした。  さらに、紐の通し部を形成する縫合部を小さい範囲とすることで、布同士の擦れ合いを妨げず、濯ぎ性と乾燥性においても優れた泡立て具となった。【選択図】図３
2019017727.tif 000002
【特許請求の範囲】
【請求項１】
合成繊維の布体を上下に重ね、重ねた布体間に少なくとも一枚のメッシュ状布を介在させ、前記メッシュ状布の適所を前記布体に縫着してこれを略筒状に縫製し、前記略筒状体の長手方向略中央部から二つ折りにして適所を所定寸法縫合し、折り曲げ部から前記縫合部の間の内側に、紐あるいは指を挿通可能な通し部を形成したことを特徴とする泡立て具。
【請求項２】
前記通し部に、紐を挿通して両端を繋ぎ、環状の引き紐兼用吊下用紐を形成したことを特徴とする請求項１記載の泡立て具。  
【請求項３】
前記略筒状体の内側面および外側面の適所に、略筒状体を構成する布体をピンタック状に縫合することにより形成された突出部、または、略筒状体を構成する布体にフリル状の布体を縫着することにより形成された突出部を備えたことを特徴とする請求項１又は２記載の泡立て具。  
【発明の詳細な説明】
【技術分野】
【０００１】
本発明は、洗浄剤を泡立てる泡立て具に関するものである。
【背景技術】
【０００２】
従来、布製の泡立て具は、泡立て布体の端部を寄せ集めて結束し、その先に摘み部を設けた構成のものが多く提供されている。（特許文献１、２参照）また、泡立て促進材を内蔵した平らな形状の泡立て具も提供されている。（特許文献３参照）
【先行技術文献】
【特許文献】
【０００３】
【特許文献１】特開２００４−０００３０３号広報
【特許文献２】特開２００９−０９００３０号広報
【特許文献３】特開２０１１−０４１６７７号広報
【発明の概要】
【発明が解決しようとする課題】
【０００４】
特許文献１、２の、従来の布製の泡立て具は、泡立て布体の一方を寄せ集め引き絞って結束した構成のため、使用するうちに結束部に濯いでも流れ落ちない石けんカスが溜まり、また、結束部の布体は乾き難いので衛生面に不安がある。
【０００５】
さらに、泡を生み出す効率の面では、布体を結束して布体の動きを制限するため、泡立てる際には使用されている布体全体の擦れ合いが起き難く、使用する布体の面積に対して泡の発生率が劣る欠点がある。
【０００６】
又、特許文献３の平面状の泡立て具は、洗浄剤、特に粉状の洗浄剤を使用する場合に、こぼれ落ちる不都合が生じ易く、又、多くの泡を得るために布体を広く用いると大型の泡立て具となり取り扱いに不便である。
【０００７】
本発明は、このような問題点を配慮し、効率の良い泡立ちと泡の量の多さ、生み出した泡の採取のし易さ、洗浄剤の塗布のし易さに加え、使用後の濯ぎ洗いによる汚れ落ちの良さと乾き易さをも備える泡立て具の提供を課題とする。
【課題を解決するための手段】
【０００８】
請求項１記載の本発明では、合成繊維の布体を上下に重ね、重ねた布体間に少なくとも一枚のメッシュ状布を介在させ、前記メッシュ状布の適所を前記布体に縫着してこれを略筒状に縫製し、前記略筒状体の長手方向略中央部から二つ折りにして適所を所定寸法縫合し、折り曲げ部から前記縫合部の間の内側に、紐あるいは指を挿通可能な通し部を形成したことを特徴とする泡立て具を提供する。
【０００９】
また、請求項２記載の本発明では、通し部に、紐を挿通して両端を繋ぎ、環状の引き紐兼用吊下用紐を形成したことを特徴とする泡立て具を提供する。
【００１０】
また、略筒状体の内側面および外側面の適所に、略筒状体を構成する布体をピンタック状に縫合することにより形成された突出部、または、略筒状体を構成する布体にフリル状の布体を縫着することにより形成された突出部を備えたことを特徴とする泡立て具を提供する。
【発明の効果】
【００１１】
効率よく、多量の泡を生むための泡立て具の要素は、布同士の擦れ合いが起き易いこと、透孔の数が多いこと、空気を取り込み易いことであり、本発明の泡立て具は、構造と材質の組み合わせにより、それらの要素を備えたものである。
【００１２】
泡の発生過程は、泡立て具を濡らした後洗浄剤を塗布し、手揉みによる布の擦れ合いにより洗浄剤は布が含む水に溶けて所謂石けん水となり、続けて、布同士が擦れ合うことで、布目の透孔の一つ一つに石けん水の膜が形成され、さらに布同士が擦れ合うことで、石けん水の膜が空気を内包して泡となる。
【００１３】
本発明では、広い面積で布同士の擦れ合いが起きるように、広い合成繊維の布体を使用するが、略筒状体に縫製してさらに二つに折り曲げることで、面積が約１/４の広さにまとまり、泡立て具としての取り扱いに都合が良い。
【００１４】
しかし、略筒状体を二つ折りにして布体を縫合する構造は、布同士の擦れ合いや、空気の取り込みに障害となる心配があるが、略筒状体内にメッシュ状布を介在させ、縫合については折り曲げ部近傍を小さい範囲縫合することとし、さらに略筒状体を構成する布体に突出部を設けることで、重なり合う布の間に間隔を設けて泡立て具内に空気を取り込み布同士が擦れ合い易い条件を整えた。
【００１５】
メッシュ状布を介在させることにより、布体同士の密着を防いで滑りを良くし、さらに、透孔の数が増えるので多量の泡を生み出すことに奏功する。
【００１６】
また、弾力の有るメッシュ状布を用いると、泡立てる際の圧縮と回復の動きにより多くの空気を布体内に取り込んで泡立ちを促進する。
【００１７】
通し部を形成するための縫合部は小さい範囲として、引き紐兼用吊下用紐は、環状に形成した際に通し部が大きく変形しない十分な長さを有することで、布体全体が自在に動いて擦れ合うことを妨げず、又、濯ぎの際の汚れ落ちや乾き易さも良好な構造となる。
【００１８】
縫合部を折り曲げ部近傍に設けて、二つ折りの略筒状体を開閉自在の形状に構成すると、開いた状態で洗浄剤を塗布し、閉じて洗浄剤を内包して手揉みができるので、どの様な状態の洗浄剤も溢す不都合を生じない。  
【００１９】
さらに、発生した泡を採取する際には引き紐兼用吊下用紐を引くと、通し部近傍の布体が寄せ集められるので、布体を絞って泡を採取するのに都合がよい。
【００２０】
略筒状体の内側面および外側面の適所に突出部を設けることで、布体と布体、または、布体とメッシュ生地が重なり合う面に空隙を形成し、手揉みの際は突出部の圧縮と回復の動きにより空気を布体内に取り込み、さらに、重なる布同士が張り付いて一体となるのを防ぎ擦れ合いを促進するので泡の発生に奏功する。
【００２１】
本発明の、突出部を設けた泡立て具と、突出部の無い泡立て具、さらに、其々のメッシュ状布の有無の場合の泡立ち具合を比較すると、＜突出部無し・メッシュ状布無し＞より、＜突出部無し・メッシュ状布有り＞の方が泡立ちと泡の量に優れ、さらに、＜突出部有り・メッシュ状布有り＞が、さらに短時間に最も多くの泡を生み出す結果となり、メッシュ生地を介在させて突出部を設ける構成が泡立ちの効率を高める効果があることが確かめられた。
【００２２】
二つ折りした略筒状体の端部同士を縫合して全体を輪状とし、さらに折り曲げ部近傍の脇線部の一方を縫合して指が通るほどの通し部を設けると、輪に手を入れて中指を通し部に通すと、手全体が泡立て具に覆われて固定され、手に装着可能な泡立て具となり入浴介助の際の洗い具としても使用できる。
【００２３】
略筒状体にマイクロ繊維を用いた布を用いて略筒状体の内側と二つ折りして向かい合う面に其々適数の突出部を設けると、多くの泡を生み、さらにマイクロ繊維が泡をきめ細かくするので、肌洗いに適したきめ細かい泡を効率よく得ることができる。
【００２４】
手に装着可能な泡立て具では、突出部の突出幅を広くして、重なる布体の間隔を広めると、肌に当てて洗う動きが布同士の擦れ合いを起こし、また、突出部の弾力で空気を取り込みながら泡を生み出すので肌を洗いながらきめ細かい泡を生み続けることが可能となるので、一方の手で被介助者の体を支えつつ、手に装着した泡立て具で肌を傷めない配慮をした入浴介助を行うことができる。
【００２５】
また、手に装着可能な泡立て具と同様の輪に、長い引き紐2本を通して設け、輪状体を背中に当てて其々の引き紐を左右の手で持つと、泡立ちの良い背中洗いとして使用できる。
【００２６】
使用後、濯ぐ際には布体全体に水が行き渡るので汚れ落ちが良く、紐でフックなどに吊り下げると、布体全体が空気に曝され、さらに、突出部が布体間に空隙をなして空気の通りが良いので乾き易く清潔に保ち易い。
【図面の簡単な説明】
【００２７】
【図１】本発明の第一実施形態例に紐を挿通した斜視図、(１）折り曲げ部近傍の脇線部の一方を縫合した例、（２）折り曲げ部近傍の脇線部の両方を縫合した例、（３）折り曲げ部近傍を折り曲げ線と平行に縫合した例、（４）略筒状体の端部同士を縫合した例
【図２】（１）図１（１）におけるＡ−Ａ線断面と図１（２）におけるＢ−Ｂ線断面を示した概略図、（２）図１（３）におけるＣ−Ｃ線断面を示した概略図、（３）図１（４）におけるＤ−Ｄ線断面を示した概略図
【図３】第二実施形態例の二つ折りを開いた外観の一部切り欠き図
【図４】図３の閉じた状態の折り曲げ部〜端部断面の概略図
【図５】図３におけるＧ−Ｇ線断面を示した概略図
【図６】二種類のメッシュ状布を介在させた例の断面を示した概略図
【図７】布体とメッシュ状布を重ねて突出部を設けた例の断面図
【図８】本発明で泡を立てた後、引き紐を引いて泡を採取する図
【図９】（１）手に装着可能な泡立て具の斜視図、（２）（１）におけるＥ−Ｅ線断面を示した概略図、（３）本発明の泡立て具を手に装着した図
【図１０】（１）略筒状体の端部同士を縫合し複数の紐を備えた例、（２）（１）におけるＦ−Ｆ線断面を示した概略図
【発明を実施するための形態】
【００２８】
以下に、添付の図面に基づいて本発明について説明する。図１（１）〜（４）は、本発明の第一実施形態例に紐７を挿通した斜視図で、略筒状体を折り曲げた後の縫合部５、５１の位置が其々異なる例を示す。
【００２９】
略筒状体を形成する布体の形状は、2枚の布体を重ねて両脇を縫製し縦長の略筒状としても良く、又、1枚の布体を2枚に折り重ねて端部同士が重なる脇部を縫製し縦長の略筒状としても良い。
【００３０】
図２（１）〜（３）は、図１で示した斜視図の其々の断面図である。本発明は、布体２、２１を上下に重ね、その布体間に少なくとも一枚のメッシュ状布８を介在させ適所で布体２、２１に縫着９し、これを略筒状に縫製３する。略筒状体の端部は、其々開放したままでもよく、縫製５１して閉じても良い。
【００３１】
布体２、２１の材質は、通常浴用タオルに用いられているような合成繊維布で、ナイロン、ポリエステル等が適当であり、極細繊維と称されている1dtex未満の合成繊維の生地を用いると、きめ細かい泡を生みだすので好ましい。
【００３２】
メッシュ状布８の材質は、合成樹脂シートに細かい透孔を成形したメッシュ状布、または合成繊維によるメッシュ状の織物でもよい。メッシュ状布８の透孔の形状は丸状、六角形等の角状でもよく、その大きさは０、５〜３ｍｍが適当である。合成樹脂シートに透孔を成形したメッシュ状布は、そのシートの厚さによりデニール表示がなされるが、１５デニールまたは、３０デニールのメッシュ状布８は、他の布体と組み合わせた際に滑りが良く組み合わせに適している。
【００３３】
３０デニールのメッシュ状布８を用いると、適度な張りと弾力をもつので、図３で示すように、折り曲げ部近傍の一方の脇のみを縫合５して通し部６とした場合にも型崩れが起きずに初期の形状を保つことができる。
【００３４】
本発明の泡立て具の好ましい大きさは、二つ折り状態の長さ約１４０ｍｍ、幅約１１０ｍｍが適当であり、縫合部５、５１は、布の擦れ合いを妨げないために、    図１（１）に示すように折り曲げ部近傍の脇線部の片方１か所とし、折り曲げ線４から約２０ｍｍ隔て、脇線から約７ｍｍ内側の位置を脇線に沿う方向に約８〜１２ｍｍの長さ縫合するとよい。
【００３５】
図１の他の縫合の例の、（２）折り曲げ部近傍の脇線部の両方を縫合した例（３）折り曲げ部近傍を折り曲げ線と平行に縫合した例（４）略筒状体の端部同士を縫合した例は、布体同士の擦れ合いが制限され、さらに濯ぎ易さや乾き易さの点でも不都合であり、何れも泡立て具としての機能は（１）の例に劣るものである。  
【００３６】
図３は、本発明第二実施形態例の二つ折り部を開いた外観の、一部切り欠き図である。略筒状体の内側面と外側面、および二つ折りして向かい合う面に突出部１０a、１０bを設け、布体２、２１の間にはメッシュ状布８が介在してその周縁を布体に縫着９して全体を略筒状体に縫製３している。
【００３７】
突出部１０a、１０bにより、其々の布間に間隔が生じて、メッシュ状布８は、略筒状体の内側に設けた突出部１０a、１０bに持ち上げられた状態で布体２、２１とのの間に空隙を成して其々の布が擦れ合って泡を生むのに都合が良い。
【００３８】
略筒状体の長手方向の略中央部を二つ折りし、折り曲げ部近傍の脇線部の一方を縫合５し、折り曲げ部と縫合部５の間の内側に形成された通し部６に引き紐兼用吊下用紐７を挿通し、両端を繋いで環状に形成した。
【００３９】
引き紐兼用吊下用紐７の幅は、約１３ｍｍで長さは、通し部６に挿通して折り曲げ線４に沿って略筒状体の周囲を一周して環状に形成した際に通し部６が引き絞られて変形しないだけの長さとし、通し部６の幅は、紐７が通し部６内で自在に動けるように約２０ｍｍの幅をもつように設ける。
【００４０】
図４は、本発明第二実施形態例図３の二つ折り状態の断面概略図で、略筒状体の内側面と外側面、および二つ折りして向かい合う面に突出部１０a、１０bを備える。    
【００４１】
図５は、図３Ｇ−Ｇ線の断面図であり、布体２、２１をピンタック状に縫合した突出部１０aと、布体２、２１にフリル状の布体を縫着した突出部１０ｂを備える。布体２、２１間に介在するメッシュ状布８は、その周縁部を布体２、２１に縫着９している。
【００４２】
突出部１０a、１０bを設ける場は、布体２、２１の生地方向を問わずに縦横斜めの方向で良く、直線曲線も問わない。突出部の長さは１５〜８０mmほどとし、突出する幅は５〜２０mmほどが適当である。
【００４３】
図６は、厚さの異なるメッシュ状布８a、８bを組み合わせて用いた例の断面図である。薄い方のメッシュ状布８aは、その周縁を布体２、２１に縫着し、厚い方のメッシュ状布８bは弛みをもたせながら、その適所を布体２、２１に縫着９する。このように構成すると、厚地のメッシュ状布７bが布体に空隙を成し、透孔が増え、布の擦れ合う場も増すので泡立ちの効率を高める。
【００４４】
図７で示すように、合成繊維の布体２１とメッシュ状布８を重ねてピンタック状に縫合して突出部１０aを設けても良い。フリル状突出部１０bの材質は、略筒状体を成す布体２、２１と同様の合成繊維又は、メッシュ状布でも良い。
【００４５】
図８は、泡立てた後、引き紐兼用吊下用紐７を引いて泡を採取する様子であり、引き紐７は、通し部６内で自在に移動することができるので、紐７を引くと通し部６辺りの布体が寄せ集められて泡を採取し易い。
【００４６】
図９（１）は、略筒状体の折り曲げ部近傍の脇線部の一方５と、略筒状体の端部同士５１を縫合して全体を輪状にした例の斜視図で、掛け紐７は折り曲げ部近傍の縫合部５を囲むように通して端部をつないで環状とする。
【００４７】
（２）は（１）Ｅ−Ｅ線の断面図である。略筒状体内と二つ折りして向かい合う面に突出部１０a、１０bを適数設け、さらに突出部の突出幅を約２０mmほどに広くして、重なる布体の間隔を広めて肌に当てて洗う動きが布同士の擦れ合いを起こして泡を生むように構成する。
【００４８】
（３）は、輪状の内側に手を入れて、一方の脇線部を縫合部５して形成した通し部６に中指を入れて手に装着した様子であり、手に装着した際に手首まで覆うことができるように、略筒状体の幅を約１７０ｍｍとする。
【００４９】
略筒状体にマイクロ繊維を用いた布を用いると、泡がきめ細かくなり、肌を擦って傷めることもないので好ましい。略筒状体の内側面には、図７で示すように、合成繊維の布体２１とメッシュ状布８を重ねてピンタック状に縫合して突出部１０aを設けると突出部１０aが補強されて、泡立ち機能に奏功する。
【００５０】
図１０（１）は、二つ折りの端部同士を縫合５１して全体を輪状としたもので、折り曲げ線４から端部までの長さを約２８０ｍｍ、幅を約１５０ｍｍとし、通し部６には約８００ｍｍの紐を環状にして引き紐兼用吊下用紐７を２本設けると背中洗いに便利な泡立て具となる。
【００５１】
（２）は、（１）Ｅ−Ｅ線の断面図である。図９の手に装着する場合と同様に略筒状体内と二つ折りして向かい合う面に突出部１０a、１０bを適数設け、さらに突出部の突出幅を約２０mmほどに設ける。さらに、突出部１０a、１０bを折り曲げ線４と平行になる様に設けると、引き紐７で左右に動かす動きと共に突出部１０a、１０bが動いて、布の擦れ合いを促して泡を生み出す。
【００５２】
いずれの泡立て具も、突出部１０a、１０bを設ける位置は、突出部が肌を擦って傷めないように、使用する際に肌に当たらない位置に設ける。また、実施例ではメッシュ状布８を1枚使用した例を示しているが、図６で示す様に、複数のメッシュ状布８を用いると泡立ちの促進に有効なので、特に、手に装着する泡立て具や、背中洗いに便利な泡立て具の場合は、複数枚のメッシュ状布８を用いるのが好ましい。  
【符号の説明】
【００５３】
１        本発明の第一実施形態例の泡立て具
２、２１  略筒状を成す布体
３        略筒状となす縫製部
４        折り曲げ線
５        折り曲げ部近傍の縫合部
５１      端部の縫合部
６        通し部
７        引き紐兼用吊下用紐
８        メッシュ状布
９        メッシュ状布の縫着部
１０a     ピンタック状突出部
１０b     フリル状突出部
１１a     ピンタック縫合部
１１b     フリル縫着部
【図１】
2019017727.tif 000003
【図２】
2019017727.tif 000004
【図３】
2019017727.tif 000005
【図４】
2019017727.tif 000006
【図５】
2019017727.tif 000007
【図６】
2019017727.tif 000008
【図７】
2019017727.tif 000009
【図８】
2019017727.tif 000010
【図９】
2019017727.tif 000011
【図１０】
2019017727.tif 000012
【手続補正書】
【提出日】平成29年10月19日(2017.10.19)
【手続補正１】
【補正対象書類名】特許請求の範囲
【補正対象項目名】全文
【補正方法】変更
【補正の内容】
【特許請求の範囲】
【請求項１】
合成繊維の布体を上下に重ね、重ねた布体間に少なくとも一枚のメッシュ状布を介在させ、前記メッシュ状布の両脇を前記布体に縫着しこれを略筒状に縫製して略筒状体を形成し、前記略筒状体の長手方向略中央部から二つ折りにして折り曲げ部を形成し、前記略筒状体が二つ折り状態で重なり合う部分の前記折り曲げ部近傍の適所および二つ折りした略筒状体の端部同士を所定寸法縫合して縫合部を形成し、前記略筒状体の折り曲げ部から前記縫合部の間の内側に形成された通し部に、環状の引き紐兼用吊下用紐を形成したことを特徴とする泡立て具。
【請求項２】
請求項１に記載の略筒状体の内側面および外側面の適所に、前記略筒状体を構成する布体をピンタック状に縫合することにより形成された突出部、または、前記略筒状体を構成する布体にフリル状の布体を縫着することにより形成された突出部を備えたことを特徴とする請求項１記載の泡立て具。
【手続補正２】
【補正対象書類名】明細書
【補正対象項目名】０００８
【補正方法】変更
【補正の内容】
【０００８】
請求項１記載の本発明では、合成繊維の布体を上下に重ね、重ねた布体間に少なくとも一枚のメッシュ状布を介在させ、前記メッシュ状布の両脇を前記布体に縫着しこれを略筒状に縫製して略筒状体を形成し、前記略筒状体の長手方向略中央部から二つ折りにして折り曲げ部を形成し、前記略筒状体が二つ折り状態で重なり合う部分の前記折り曲げ部近傍の適所および二つ折りした略筒状体の端部同士を所定寸法縫合して縫合部を形成し、前記略筒状体の折り曲げ部から前記縫合部の間の内側に形成された通し部に、環状の引き紐兼用吊下用紐を形成したことを特徴とする泡立て具を提供する。
【手続補正３】
【補正対象書類名】明細書
【補正対象項目名】０００９
【補正方法】変更
【補正の内容】
【０００９】
また、請求項２記載の本発明では、請求項１に記載の略筒状体の内側面および外側面の適所に、前記略筒状体を構成する布体をピンタック状に縫合することにより形成された突出部、または、前記略筒状体を構成する布体にフリル状の布体を縫着することにより形成された突出部を備えたことを特徴とする請求項１記載の泡立て具を提供する。
【手続補正４】
【補正対象書類名】明細書
【補正対象項目名】００１０
【補正方法】削除
【補正の内容】
【手続補正５】
【補正対象書類名】明細書
【補正対象項目名】００１４
【補正方法】変更
【補正の内容】
【００１４】
しかし、略筒状体を二つ折りにして、略筒状体が二つ折り状態で重なり合う部分を縫合する構造は、布同士の擦れ合いや、空気の取り込みに障害となる心配があるが、略筒状体内にメッシュ状布を介在させ、縫合については折り曲げ部近傍を小さい範囲縫合することとし、さらに略筒状体を構成する布体に突出部を設けることで、重なり合う布の間に間隔を設けて泡立て具内に空気を取り込み布同士が擦れ合い易い条件を整えた。